(57)【要約】【課題】画像情報中のうち特定の印刷版で画像を形成する領域を自動指定することができる印刷装置及び印刷プログラムを提供する。【解決手段】印刷装置２は、ハイライト有及びハイライト無の画像情報からそれぞれ明度成分を抽出し、ハイライト有及びハイライト無の明度画像情報を生成する明度レイヤ生成手段２１と、ハイライト有の明度画像情報とハイライト無の明度画像情報との明度の差分である明度差分画像情報を生成する明度差分レイヤ生成手段２２と、ハイライト無の画像情報を被印刷材に印刷する通常印刷手段２３Ａと、通常印刷手段２３Ａによって印刷された被印刷材に、明度差分画像情報を光沢インクで印刷する光沢インク印刷手段２３Ｂとを有する。【選択図】図２
2011166517.tif 000002
【特許請求の範囲】
【請求項１】
第１及び第２の画像情報からそれぞれ明度成分を抽出し、第１及び第２の明度画像情報を生成する明度画像情報生成手段と、
前記第１の明度画像情報と前記第２の明度画像情報との明度の差分である明度差分画像情報を生成する明度差分画像情報生成手段と、
前記第１の画像情報を第１の塗付材を用いて被印刷材に印刷する第１の印刷手段と、
前記第１の印刷手段により印刷された前記被印刷材に、前記明度差分画像情報を第２の塗付材を用いて印刷する第２の印刷手段とを有する印刷装置。
【請求項２】
前記第１及び第２の画像情報は、光学フィルタを介した場合及び介さなかった場合について同一被写体を撮像して得られたものである請求項１に記載の印刷装置。
【請求項３】
前記第１及び前記第２の画像情報は、１つの文書情報の内容に基づいて画像情報を生成することで得られたものである請求項１に記載の印刷装置。
【請求項４】
コンピュータを、
第１及び第２の画像情報からそれぞれ明度成分を抽出し、第１及び第２の明度画像情報を生成する明度画像情報生成手段と、
前記第１の明度画像情報と前記第２の明度画像情報との明度の差分である明度差分画像情報を生成する明度差分画像情報生成手段と、
前記第１の画像情報を第１の塗付材を用いて被印刷材に印刷するよう制御する第１の印刷手段と、
前記第１の印刷手段により印刷された前記被印刷材に、前記明度差分画像情報を第２の塗付材を用いて印刷するよう制御する第２の印刷手段として機能させる印刷プログラム。
【発明の詳細な説明】
【技術分野】
【０００１】
本発明は、印刷装置及び印刷プログラムに関する。
【背景技術】
【０００２】
従来の印刷装置として、画像と文章が混在する画像情報の中から画像の領域と文章の領域とを自動で判定し、画像の領域を光沢度の高い画像を形成するための現像装置で現像し、文章の領域を光沢度の低い画像を形成するための現像装置で現像するものが提案されている（例えば、特許文献１参照）。
【先行技術文献】
【特許文献】
【０００３】
【特許文献１】特開平７−１２９０３９号公報
【発明の概要】
【発明が解決しようとする課題】
【０００４】
本発明の目的は、画像情報中のうち特定の印刷版で画像を形成する領域を自動指定することができる印刷装置及び印刷プログラムを提供することにある。
【課題を解決するための手段】
【０００５】
本発明の一態様は、上記目的を達成するため、以下の印刷装置及び印刷プログラムを提供する。
【０００６】
［１］第１及び第２の画像情報からそれぞれ明度成分を抽出し、第１及び第２の明度画像情報を生成する明度画像情報生成手段と、前記第１の明度画像情報と前記第２の明度画像情報との明度の差分である明度差分画像情報を生成する明度差分画像情報生成手段と、前記第１の画像情報を第１の塗付材を用いて被印刷材に印刷する第１の印刷手段と、前記第１の印刷手段により印刷された前記被印刷材に、前記明度差分画像情報を第２の塗付材を用いて印刷する第２の印刷手段とを有する印刷装置。
【０００７】
［２］前記第１及び第２の画像情報は、光学フィルタを介した場合及び介さなかった場合について同一被写体を撮像して得られたものである前記［１］に記載の印刷装置。
【０００８】
［３］前記第１及び前記第２の画像情報は、１つの文書情報の内容に基づいて画像情報を生成することで得られたものである前記［１］に記載の印刷装置。
【０００９】
［４］コンピュータを、第１及び第２の画像情報からそれぞれ明度成分を抽出し、第１及び第２の明度画像情報を生成する明度画像情報生成手段と、前記第１の明度画像情報と前記第２の明度画像情報との明度の差分である明度差分画像情報を生成する明度差分画像情報生成手段と、前記第１の画像情報を第１の塗付材を用いて被印刷材に印刷するよう制御する第１の印刷手段と、前記第１の印刷手段により印刷された前記被印刷材に、前記明度差分画像情報を第２の塗付材を用いて印刷するよう制御する第２の印刷手段として機能させる印刷プログラム。
【発明の効果】
【００１０】
請求項１又は４に係る発明によれば、画像情報中のうち特定の印刷版で画像を形成する領域を自動指定することができる。
【００１１】
請求項２に係る発明によれば、同一被写体の撮像によって第１及び第２の画像情報を生成することができる。
【００１２】
請求項３に係る発明によれば、文書情報から第１及び第２の画像情報を生成することができる。
【図面の簡単な説明】
【００１３】
【図１】図１は、本発明の第１の実施の形態に係る印刷システムの構成の一例を示す図である。
【図２】図２は、印刷制御サーバの構成の一例を示すブロック図である。
【図３】図３は、第１の実施の形態に係る印刷システムの動作例を説明するための図である。
【図４】図４は、第２の実施の形態に係る印刷システムの動作例を説明するための図である。
【図５】図５は、第３の実施の形態に係る印刷システムの動作例を説明するための図である。
【発明を実施するための形態】
【００１４】
［第１の実施の形態］
（印刷システムの構成）
図１は、本発明の第１の実施の形態に係る印刷システムの構成の一例を示す図である。
【００１５】
この印刷システム１は、印刷装置２と、カメラ４と、端末装置５とをそれぞれＵＳＢ（Universal Serial Bus）ケーブル又はネットワークケーブル等で接続して構成される。ネットワークケーブルを用いたネットワークは、ＬＡＮ（Local Area Network）やインターネット等で構成される。なお、ネットワークは、ネットワークケーブルを用いずに無線であってもよい。また、カメラ４及び端末装置５は、同図では単体を示すが、それぞれ複数台設けられるものであってもよい。
【００１６】
（印刷装置）
印刷装置２は、端末装置５の要求に基づき用紙等の被印刷材に印刷を実行するものであり、通常色のシアン（Ｃ）、マゼンタ（Ｍ）、イエロー（Ｙ）、ブラック（Ｋ）のインクによりカラー印刷領域３０Ａを形成し、更に被印刷材の一部に特別色、例えば、光沢色の光沢インクにより光沢領域３０Ｂを形成して印刷された印刷物３Ｂを出力するインクジェットプリンタである。
【００１７】
なお、印刷装置は、トナーを用いた電子写真方式でもよい。この場合、通常色のＣＭＹＫのトナーの他に、例えば、光沢を与える透明トナーを用いる。また、光沢インク以外に艶消インク、赤外線吸収インクや紫外線吸収インク等の他の特殊インク又は特色と呼ばれる単色のインクを用いてもよい。
【００１８】
また、カラー印刷領域３０Ａは、フルカラーに限らず、ＣＭＹＫの４版から単数、複数を問わず任意の版を選択して印刷されるものも含む。また、印刷装置２は、印刷機能の他、更にスキャナ、ファクシミリ等の他の機能を有してもよく、単一のユニットのみならず、各機能に対応した複数のユニットからなるものも含まれる。
【００１９】
（カメラ）
カメラ４は、撮像用のレンズ４０上に偏光フィルタ等のフィルタ４１を装着可能なデジタルカメラであり、ＣＣＤ（Charge Coupled Device）やＣＭＯＳ（Complementary Metal Oxide Semiconductor）等の撮像素子によって撮像し、内部の画像処理部によって画像情報を生成する。カメラ４は、フィルタ４１無しの場合に得られる反射光等のハイライトが含まれるハイライト有画像情報と、フィルタ４１有りの場合に得られるハイライトが含まれないハイライト無画像情報とを生成することとする。
【００２０】
なお、カメラ４は、フィルタ４１有りの場合と無しの場合の撮像を同時に実行できるようレンズ４０及び撮像素子を２組備える構成としてもよいし、フィルタ４１有りの場合と無しの場合を連続して撮像できるようにフィルタの切替を自動で行う構成としてもよい。
【００２１】
また、カメラ４は、生成した画像情報を印刷装置２にＵＳＢケーブル等を介して送信できるように構成されている。なお、撮像した画像情報を一旦、端末装置５に送信した後、画像情報を受信した端末装置５から印刷装置２へ送信する構成にしてもよい。
【００２２】
端末装置５は、ＬＣＤ（Liquid Crystal Display）等の表示部５０と、キーボード、マウス等の操作部５１とを有し、操作部５１に入力された内容に応じて印刷装置２に印刷実行要求を送信し、印刷装置２から表示情報を受信して表示部５０に操作用の画像を表示する。また、端末装置５は、操作部５１の操作内容に応じてカメラ４で撮像された画像情報の画像サイズ、明度、コントラスト、彩度等を編集する。
【００２３】
（印刷装置の詳細）
図２は、印刷装置２の構成の一例を示すブロック図である。
【００２４】
印刷装置２は、ＣＰＵ（Central Processing Unit）等から構成される制御部２Ａを有し、制御部２Ａは、印刷プログラム２Ｂを実行することで、ハイライト有画像受付手段２０Ｂ、ハイライト無画像受付手段２０Ａ、明度レイヤ生成手段２１及び明度差分レイヤ生成手段２２等として機能する。また、印刷装置２は、ＨＤＤ（Hard Disk Drive）やフラッシュメモリ等の記憶装置２Ｂから構成され印刷プログラム２４及び外部から受信した画像情報２５Ｂ等を記憶する記憶部と、通常印刷及び光沢インク印刷を実行する印刷部２Ｃと、ＵＳＢケーブル又はネットワークを介してカメラ４及び端末装置５と通信する通信部２Ｄ等を有する。
【００２５】
印刷部２Ｃは、各種のインクを被印刷物に吐出するインクヘッド、ＣＭＹＫの通常色のインク及び光沢インクを収容するとともにこれらのインクをインクヘッドに供給するインクカートリッジ、インクヘッドを駆動走査するインクヘッド駆動走査部、印刷材を印刷位置に自動給紙する給紙部とを備える。なお、印刷部２Ｃは、通常色のインクで印刷を行う第１の印刷部と、特殊インクで印刷を行う第２の印刷部とを別々のユニットで構成してもよい。この場合は、第１の印刷部から第２の印刷部へと印刷材を送出する送出部をさらに設ける。
【００２６】
ハイライト無画像受付手段２０Ａは、カメラ４又は端末装置５が送信するハイライト無画像情報を受け付ける。
【００２７】
ハイライト有画像受付手段２０Ｂは、カメラ４又は端末装置５が送信するハイライト有画像情報を受け付ける。
【００２８】
明度レイヤ生成手段２１は、ハイライト無画像情報及びハイライト有画像情報から色相、彩度、明度からなるＨＳＬ（Hue Saturation Lightness）レイヤの明度成分を抽出することで、それぞれの明度レイヤを生成する。ここで、「レイヤ」とは、印刷装置の印刷版に対応する画像情報のことをいう。
【００２９】
明度差分レイヤ生成手段２２は、ハイライト有画像情報の明度レイヤと、ハイライト無画像情報の明度レイヤの対応する各画素において、明度の差分を算出することによって得られる明度差分レイヤを生成する。
【００３０】
通常印刷手段２３Ａは、ハイライト無画像情報をＣＭＹＫの版に分けて被印刷材に印刷してカラーの通常印刷物を印刷するよう印刷部２Ｃを制御する。
【００３１】
光沢インク印刷手段２３Ｂは、明度差分レイヤ生成手段２２が生成した明度差分レイヤに基づいて、通常印刷手段２３Ａの制御の下で印刷した通常印刷物に通常印刷手段２３Ａが用いるインクと異なる特殊インクである光沢インクを印刷するよう印刷部２Ｃを制御する。
【００３２】
（印刷システムの動作）
以下に、印刷システム１の動作例を図１〜５を参照しつつ説明する。
【００３３】
（１）基本動作
図３は、第１の実施の形態に係る印刷システム１の動作例を説明するための図である。
【００３４】
まず利用者は、カメラ４を用いてフィルタ４１を適用した場合及び適用しない場合について同一の撮影対象を撮像する。カメラ４は、フィルタ４１有及びフィルタ４１無の場合について撮像を実行することで、ハイライト無画像２００Ａ及びハイライト有画像２００Ｂをそれぞれ生成し、印刷装置２に送信する。
【００３５】
印刷装置２のハイライト無画像受付手段２０Ａは、ＵＳＢケーブル等を介してカメラ４からハイライト無画像２００Ａを受け付け、ハイライト有画像受付手段２０Ｂは、ハイライト有画像２００Ｂを受け付ける。
【００３６】
次に、ハイライト無画像受付手段２０Ａは、ハイライト無画像２００Ａを、ハイライト有画像受付手段２０Ｂは、ハイライト有画像２００Ｂを明度レイヤ生成手段２１に渡す。
【００３７】
明度レイヤ生成手段２１は、ハイライト無画像２００Ａ及びハイライト有画像２００Ｂから色相、彩度、明度からなるＨＳＬレイヤの明度成分を抽出し、それぞれハイライト無明度レイヤ画像２１０Ａ及びハイライト有明度レイヤ画像２１０Ｂを生成する。
【００３８】
明度差分レイヤ生成手段２２は、明度レイヤ生成手段２１が生成したハイライト無明度レイヤ画像２１０Ａ及びハイライト有明度レイヤ画像２１０Ｂの明度の差分に基づいて明度レイヤ差分画像２２０を生成する。
【００３９】
また、ハイライト無画像受付手段２０Ａは、ハイライト無画像２００Ａを通常印刷手段２３Ａに渡す。通常印刷手段２３Ａは、ハイライト無画像２００Ａを解析してＣＭＹＫの版に分け、印刷部２Ｃを制御して被印刷材に印刷し、フルカラーの通常印刷物２３０Ａを生成させる。
【００４０】
次に、光沢インク印刷手段２３Ｂは、通常印刷手段２３Ａの制御により印刷部２Ｃが生成した通常印刷物２３０Ａに、明度レイヤ差分画像２２０に基づいて再び印刷部２Ｃを制御することで光沢インク２３０ａを印刷し、印刷物２３０Ｂを出力させる。なお、明度レイヤ差分画像２２０は、階調を有しており、光沢インク印刷手段２３Ｂは、網点等の大きさで階調を表現する。また、被印刷材が艶有の用紙である場合は、艶消インクを用いて明度レイヤ差分画像２２０を反転して印刷を実行してもよい。
【００４１】
［第２の実施の形態］
第２の実施の形態は、印刷装置２に入力する情報を、第１の実施の形態において説明した画像情報から、文字や記号等からなるアノテーション情報に替えたものである。
【００４２】
図４は、第２の実施の形態に係る印刷システム１の動作例を説明するための図である。
【００４３】
まず利用者は、端末装置５を用いて、ワープロ等のソフトを実行することで、文字や記号等の複数のアノテーション２０１ａ１〜２０１ａ３を有し、アノテーション２０１ａ２にハイライト指定２０１ｂのなされたアノテーション情報２０１を作成する。端末装置５は、アノテーション２０１ａ１〜２０１ａ３をすべて含むハイライト無画像２０１Ａと、作成されたアノテーション情報２０１から、ハイライト指定２０１ｂのなされたアノテーション２０１ａ２を除いたハイライト有画像２０１Ｂとを生成し、印刷装置２に送信する。なお、アノテーション情報２０１から、ハイライト無画像２０１Ａと、ハイライト有画像２０１Ｂとを生成する動作は、予め定めた方法又はプログラム等に基づいて印刷装置２において自動で行う構成としてもよい。
【００４４】
印刷装置２のハイライト無画像受付手段２０Ａ及びハイライト有画像受付手段２０Ｂは、ＬＡＮケーブル等を介して端末装置５からハイライト無画像２０１Ａ及びハイライト有画像２０１Ｂをそれぞれ受け付ける。
【００４５】
次に、ハイライト無画像受付手段２０Ａ及びハイライト有画像受付手段２０Ｂは、ハイライト無画像２０１Ａ及びハイライト有画像２０１Ｂを明度レイヤ生成手段２１に渡す。
【００４６】
明度レイヤ生成手段２１は、ハイライト無画像２０１Ａ及びハイライト有画像２０１Ｂから色相、彩度、明度からなるＨＳＬレイヤの明度成分を抽出し、それぞれハイライト無明度レイヤ画像２１１Ａ及びハイライト有明度レイヤ画像２１１Ｂを生成する
【００４７】
明度差分レイヤ生成手段２２は、明度レイヤ生成手段２１が生成したハイライト無明度レイヤ画像２１１Ａ及びハイライト有明度レイヤ画像２１１Ｂの明度の差分からアノテーション２０１ａ２のみを含む明度レイヤ差分画像２２１を生成する。
【００４８】
また、ハイライト無画像受付手段２０Ａは、ハイライト無画像２０１Ａを通常印刷手段２３Ａに渡す。通常印刷手段２３Ａは、ハイライト無画像２０１Ａを解析してＣＭＹＫの版に分け、印刷部２Ｃを制御することで被印刷材に印刷し、アノテーション２０１ａ１〜２０１ａ３に該当する印刷内容を含むフルカラーの通常印刷物２３１Ａを生成させる。
【００４９】
次に、光沢インク印刷手段２３Ｂは、通常印刷手段２３Ａが印刷部２Ｃを制御することで生成した通常印刷物２３１Ａに、明度レイヤ差分画像２２１に基づいて再び印刷手段２Ｃを制御して光沢インク２３１ａを印刷させ、アノテーション２０１ａ１〜２０１ａ３に該当する印刷内容と、アノテーション２０１ａ２に重ねて印刷された光沢インク２３１ａによる印刷内容とを有する印刷物２３１Ｂを出力させる。
【００５０】
なお、第２の実施の形態（及び第３の実施の形態）における上記の説明においては、明度の差分に着目した説明を行っているが、両画像の色相成分に基づく色相レイヤの差分レイヤ又は彩度成分に基づく彩度レイヤの差分レイヤを生成して同様の処理を行うこととしてもよい。
【００５１】
［第３の実施の形態］
第３の実施の形態は、アノテーション情報を用いた印刷の他の例である。
【００５２】
図５は、第３の実施の形態に係る印刷システム１の動作例を説明するための図である。
【００５３】
まず利用者は、端末装置５を用いて、ワープロ等のソフトを実行することで、文字や記号等の複数のアノテーション２０２ａ１及び２０２ａ３と、ハイライトのみによって描かれたアノテーション２０２ａ２とを有するアノテーション情報２０２を作成する。端末装置５は、ハイライトによって描かれたアノテーション２０２ａ２を除いたハイライト無画像２０２Ａと、作成されたアノテーション情報２０２から、アノテーション２０２ａ１〜２０２ａ３をすべて含むハイライト有画像２０２Ｂとを生成し、印刷装置２に送信する。
【００５４】
印刷装置２のハイライト無画像受付手段２０Ａ及びハイライト有画像受付手段２０Ｂは、ＬＡＮケーブル等を介して端末装置５からハイライト無画像２０２Ａ及びハイライト有画像２０２Ｂをそれぞれ受け付ける。
【００５５】
次に、ハイライト無画像受付手段２０Ａ及びハイライト有画像受付手段２０Ｂは、ハイライト無画像２０２Ａ及びハイライト有画像２０２Ｂを明度レイヤ生成手段２１に渡す。
【００５６】
明度レイヤ生成手段２１は、ハイライト無画像２０２Ａ及びハイライト有画像２０２Ｂから色相、彩度、明度からなるＨＳＬレイヤの明度成分を抽出し、それぞれハイライト無明度レイヤ画像２１２Ａ及びハイライト有明度レイヤ画像２１２Ｂを生成する
【００５７】
明度差分レイヤ生成手段２２は、明度レイヤ生成手段２１が生成したハイライト無明度レイヤ画像２１２Ａ及びハイライト有明度レイヤ画像２１２Ｂの明度の差分からアノテーション２０２ａ２のみを含む明度レイヤ差分画像２２２を生成する。
【００５８】
また、ハイライト無画像受付手段２０Ａは、ハイライト無画像２０２Ａを通常印刷手段２３Ａに渡す。通常印刷手段２３Ａは、ハイライト無画像２０２Ａを解析してＣＭＹＫの版に分け、印刷部２Ｃを制御することで被印刷材に印刷させ、アノテーション２０２ａ１及び２０２ａ３に該当する印刷内容を含むフルカラーの通常印刷物２３２Ａを生成する。
【００５９】
次に、光沢インク印刷手段２３Ｂは、通常印刷手段２３Ａが印刷部２Ｃを制御することで生成した通常印刷物２３２Ａに、明度レイヤ差分画像２２２に基づいて再び印刷部２Ｃを制御する事で光沢インク２３２ａを印刷させ、アノテーション２０２ａ１及び２０２ａ３に該当する印刷内容と、光沢インク２３２ａによるアノテーション２０２ａ２に該当する印刷内容とを有する印刷物２３２Ｂを出力させる。
【００６０】
［他の実施の形態］
なお、本発明は、上記実施の形態に限定されず、本発明の趣旨を逸脱しない範囲で種々な変形が可能である。例えば、明度レイヤ差分画像情報に基づいて印刷以外の印刷装置２で実行可能な加工、例えば、ミシン目加工、折り目加工、穴あけ加工等を印刷物に施す構成としてもよい。
【００６１】
また、上記実施の形態で使用されるハイライト無画像受付手段２０Ａ、ハイライト有画像受付手段２０Ｂ、明度レイヤ生成手段２１、明度差分レイヤ生成手段２２は、ＣＤ−ＲＯＭ等の記憶媒体から装置内の記憶部に読み込んでも良く、インターネット等のネットワークに接続されているサーバ装置等から装置内の記憶部にダウンロードしてもよい。また、上記実施の形態で使用される手段の一部または全部をＡＳＩＣ等のハードウェアによって実現してもよい。
【符号の説明】
【００６２】
１…印刷システム、２…印刷装置、２Ａ…制御部、２Ｂ…記憶部、２Ｃ…印刷部、２Ｄ…通信部、３…印刷物、４…カメラ、５…端末装置、２０Ａ…ハイライト無画像受付手段、２０Ｂ…ハイライト有画像受付手段、２１…明度レイヤ生成手段、２２…明度差分レイヤ生成手段、２３Ａ…通常印刷手段、２３Ｂ…光沢インク印刷手段、３０Ａ…カラー印刷領域、３０Ｂ…光沢領域、４０…レンズ、４１…フィルタ、５０…表示部、５１…操作部、２００Ａ…ハイライト無画像、２００Ｂ…ハイライト有画像、２０１…アノテーション情報、２０１Ａ…ハイライト無画像、２０１Ｂ…ハイライト有画像、２０１ａ１-２０１ａ３…アノテーション、２０１ｂ…ハイライト指定、２０２…アノテーション情報、２０２Ａ…ハイライト無画像、２０２Ｂ…ハイライト有画像、２０２ａ１-２０２ａ３…アノテーション、２１０Ａ…ハイライト無明度レイヤ画像、２１０Ｂ…ハイライト有明度レイヤ画像、２１１Ａ…ハイライト無明度レイヤ画像、２１１Ｂ…ハイライト有明度レイヤ画像、２１２Ａ…ハイライト無明度レイヤ画像、２１２Ｂ…ハイライト有明度レイヤ画像、２２０…明度レイヤ差分画像、２２１…明度レイヤ差分画像、２２２…明度レイヤ差分画像、２３０Ａ…通常印刷物、２３０Ｂ…印刷物、２３０ａ…光沢インク、２３１Ａ…通常印刷物、２３１Ｂ…印刷物、２３１ａ…光沢インク、２３２Ａ…通常印刷物、２３２Ｂ…印刷物、２３２ａ…光沢インク
【図１】
2011166517.tif 000003
【図２】
2011166517.tif 000004
【図３】
2011166517.tif 000005
【図４】
2011166517.tif 000006
【図５】
2011166517.tif 000007